(57)【特許請求の範囲】
【請求項１】
体組成計を保護する保護カバーであって、
被験者が、体組成の測定に備えて、裸足になるときに乗るマットを備える保護カバー。
【請求項２】
前記保護カバーは、体組成の測定台を有する測定部本体に対して着脱自在の表示部ユニットを備えた体組成計の保護カバーであり、前記表示部ユニットが前記測定部本体に装着された状態において、前記体組成計の前記表示部ユニットを含む面を覆うことが可能な形状と面積を有することを特徴とする請求項１に記載の保護カバー。
【請求項３】
前記保護カバーは、体組成の測定台を有する測定部本体とケーブルで電気的に接続されたハンドグリップを備えた体組成計の保護カバーであることを特徴とする請求項１又は請求項２に記載の保護カバー。
【請求項４】
前記マットは、前記保護カバーに着脱自在であることを特徴とする請求項１乃至請求項３のいずれか一項に記載の保護カバー。
【請求項５】
前記保護カバーの少なくとも一部が、伸縮性を有する素材で形成されていることを特徴とする請求項１乃至請求項４のいずれか一項に記載の保護カバー。
【請求項６】
体組成の測定台を有する測定部本体に前記保護カバーを連結するための紐を有することを特徴とする請求項１乃至請求項５のいずれか一項に記載の保護カバー。
【請求項７】
体組成計と、この体組成計を保護する保護カバーとを備えた体組成計セットであって、
前記保護カバーは、被験者が、体組成の測定に備えて、裸足になるときに乗るマットを備える、体組成計セット。
【請求項８】
前記体組成計は、体組成の測定台を有する測定部本体と、この測定部本体に対して着脱自在の表示部ユニットとを備え、
前記保護カバーは、前記表示部ユニットが前記測定部本体に装着された状態において、前記体組成計の前記表示部ユニットを含む面を覆うことが可能な形状と面積を有することを特徴とする請求項７に記載の体組成計セット。
【請求項９】
前記体組成計は、体組成の測定台を有する測定部本体と、この測定部本体にケーブルで電気的に接続されたハンドグリップとを備えることを特徴とする請求項７又は請求項８に記載の体組成計セット。
【請求項１０】
前記マットは、前記保護カバーに着脱自在であることを特徴とする請求項７乃至請求項９のいずれか一項に記載の体組成計セット。
【請求項１１】
前記保護カバーの少なくとも一部が、伸縮性を有する素材で形成されていることを特徴とする請求項７乃至請求項１０のいずれか一項に記載の体組成計セット。
【請求項１２】
前記体組成計は、体組成の測定台を有する測定部本体を備え、前記保護カバーは、前記測定部本体に前記保護カバーを連結するための紐を有することを特徴とする請求項７乃至請求項１１のいずれか一項に記載の体組成計セット。
【発明の詳細な説明】
【技術分野】
【０００１】
本発明は、体組成計を保護する保護カバー、及び体組成計と保護カバーとを備えた体組成計セットに関する。
【背景技術】
【０００２】
従来から、被験者の体脂肪率、内臓脂肪レベル、筋肉量等の体組成に関する指標を測定する体組成計が知られている。この体組成計は、被験者の体重と生体インピーダンスを測定し、測定した体重及び生体インピーダンスに加えて、入力された被験者の性別、身長、年齢等の身体特定化情報に基づき、上記の体脂肪率、内臓脂肪レベル、筋肉量等の体組成に関する指標を算出する。
【０００３】
体組成計の中に、被験者の両手と両足に合計８つの電極を接触させて、被験者の生体インピーダンスを測定する８電極式体組成計がある。この８電極式組成計には、足用電極を体重計に備えた測定部本体とは、別体に、測定部本体とケーブルで電気的に接続された手用電極付きのハンドグリップが設けられている。そして、この種の体組成計において、測定部本体とハンドグリップとを着脱可能として、体組成計の不使用時における収納性を高めるように工夫したものが知られている（例えば、特許文献１参照）。
【先行技術文献】
【特許文献】
【０００４】
【特許文献１】特開２００３−７０７６２号公報
【発明の概要】
【発明が解決しようとする課題】
【０００５】
このような８電極式組成計は、被験者の全身に加えて身体部位の体組成に関する指標も求めることができることから、昨今ではその用途も広く、健康診断や、医療などにも用いられる。このような用途においては、体組成計を持ち運び易く、体組成計自体が清潔で、測定の際に、被験者が測定台を清潔に利用することができることが望まれる。
【０００６】
本発明は、上記課題を解決するものであり、体組成計の持ち運びが容易で、かつ、体組成計を清潔に利用することが可能な保護カバー、及び体組成計セットを提供することを目的とする。
【課題を解決するための手段】
【０００７】
上記課題を解決するために、本発明の一態様による保護カバーは、体組成計を保護する保護カバーであって、被験者が、体組成の測定に備えて、裸足になるときに乗るマットを備える。
【０００８】
この保護カバーにおいて、該保護カバーは、体組成の測定台を有する測定部本体に対して着脱自在の表示部ユニットを備えた体組成計の保護カバーであり、前記表示部ユニットが前記測定部本体に装着された状態において、前記体組成計の前記表示部ユニットを含む面を覆うことが可能な形状と面積を有することが望ましい。
【０００９】
この保護カバーにおいて、該保護カバーは、体組成の測定台を有する測定部本体とケーブルで電気的に接続されたハンドグリップを備えた体組成計の保護カバーであってもよい。
【００１０】
この保護カバーにおいて、前記マットは、前記保護カバーに着脱自在であることが望ましい。
【００１１】
この保護カバーにおいて、前記保護カバーの少なくとも一部が、伸縮性を有する素材で形成されていることが望ましい。
【００１２】
この保護カバーにおいて、体組成の測定台を有する測定部本体に前記保護カバーを連結するための紐を有することが望ましい。
【００１３】
本発明の他の態様による体組成計セットは、体組成計と、この体組成計を保護する保護カバーとを備えた体組成計セットであって、前記保護カバーは、被験者が、体組成の測定に備えて、裸足になるときに乗るマットを備える。
【００１４】
この体組成計セットにおいて、前記体組成計は、体組成の測定台を有する測定部本体と、この測定部本体に対して着脱自在の表示部ユニットとを備え、前記保護カバーは、前記表示部ユニットが前記測定部本体に装着された状態において、前記体組成計の前記表示部ユニットを含む面を覆うことが可能な形状と面積を有することが望ましい。
【００１５】
この体組成計セットにおいて、前記体組成計は、体組成の測定台を有する測定部本体と、この測定部本体にケーブルで電気的に接続されたハンドグリップとを備えていてもよい。
【００１６】
この体組成計セットにおいて、前記マットは、前記保護カバーに着脱自在であることが望ましい。
【００１７】
この体組成計セットにおいて、前記保護カバーの少なくとも一部が、伸縮性を有する素材で形成されていることが望ましい。
【００１８】
この体組成計セットにおいて、前記体組成計は、体組成の測定台を有する測定部本体を備え、前記保護カバーは、前記測定部本体に前記保護カバーを連結するための紐を有することが望ましい。
【発明の効果】
【００１９】
本発明の保護カバーは、体組成計の移動（携帯）時や保管時に、体組成計を保護し、体組成計にゴミや埃が付着するのを防ぐことができるので、体組成計自体を清潔に保つことができる。また、この保護カバーは、体組成の測定時に、被験者が体組成の測定に備えて裸足になるときに乗るマットとして使用することができるので、被験者が測定台を清潔に利用することができる。
【００２０】
また、本発明の保護カバーによれば、体組成計が測定部本体に対して着脱自在の部材を備えている場合には、体組成計の移動（携帯）時や保管時に、体組成計を覆うことにより、上記の着脱自在の部材が測定部本体に装着された状態を維持することができる。さらに、この保護カバーは、体組成計の各部材間がケーブルで接続されている場合には、保護カバーによる体組成計の収納時に、これらのケーブルを容易に束ねることができる。これらの理由により、本発明の保護カバーによれば、体組成計の持ち運びを容易にすることができる。
【図面の簡単な説明】
【００２１】
【図１】本発明の一実施形態の保護カバーにより体組成計を収納した状態における体組成計セットを示す平面図。
【図２】体組成測定時における上記体組成計セットの使用形態の一例を示す平面図。
【図３】表示部ユニットを測定部本体に装着した状態における体組成計を示す斜視図。
【図４】上記表示部ユニットを測定部本体から取り外した状態における体組成計を示す斜視図。
【図５】ホルダからハンドグリップを取り外した状態における体組成計の前部周辺を示す斜視図。
【図６】上記保護カバーからマットを取り外した状態における体組成計セットを示す平面図。
【図７】上記保護カバーにより体組成計を収納する直前における（体組成計を収納する準備が完了した）体組成計セットを示す平面図。
【図８】体組成測定時における上記体組成計セットの使用形態の他の例を示す斜視図。
【発明を実施するための形態】
【００２２】
以下、本発明を具体化した実施形態による保護カバー及び体組成計セットについて、図面を参照して説明する。なお、以下の説明において、「ユーザ」には、被験者だけではなく、医療関係者や、健康診断の関係者が含まれる。図１は、本実施形態による保護カバーにより体組成計を収納した状態における体組成計セットを示す平面図である。また、図２は、体組成測定時における体組成計セットの使用形態の一例を示す平面図である。これらの図１及び図２に示されるように、体組成計セット１０は、体組成計２と、この体組成計２を保護する保護カバー１とを備えている。体組成計２は、被験者の両手と両足に合計８つの電極を接触させて、測定する身体の対象（全身、身体部位（右腕、左腕、右足、左足、体幹部など））に応じて、８つの電極を適宜選択し、微弱な定電流を流すことにより、被験者の生体インピーダンスを測定する８電極式組成計である。
【００２３】
まず、体組成計２の構成について説明する。図２に示されるように、体組成計２は、測定部本体２０と、この測定部本体２０に対して着脱自在の表示部ユニット２１とを備えている。測定部本体２０と表示部ユニット２１とは、ケーブル２９で電気的に接続されている。
【００２４】
図３と図４とは、表示部ユニット２１を測定部本体２０に装着した状態と、表示部ユニット２１を測定部本体２０から取り外した状態における体組成計２を示す。これらの図に示されるように、上記の測定部本体２０は、体組成の測定時に被験者が乗る、体組成の測定台２５と、体組成の測定時に、被験者から見て測定台２５の前方に配置される測定部本体前部２６とを備えている。測定台２５は、ロードセルと重量測定基板を内部に有しており、その上面に乗った被験者の体重を測定して出力する。また、測定台２５は、４つの高さ調整用の調整脚（前部調整脚３４Ｌ，３４Ｒと、後部調整脚３５Ｌ，３５Ｒ）を備えている。前部調整脚３４Ｌ，３４Ｒは、体組成の測定時に、被験者から見て測定台２５の前方に配置される左右の調整脚であり、後部調整脚３５Ｌ，３５Ｒは、体組成の測定時に、被験者から見て測定台２５の後方に配置される左右の調整脚である。
【００２５】
上記の測定部本体前部２６は、インピーダンス測定基板及び測定部本体用制御基板を内部に有しており、測定台２５で測定された体重と、後述する８つの電極を用いて求めた生体インピーダンスと、後述する操作入力部３９を用いてユーザにより入力された被験者の身長・年齢・性別といった身体特定化情報とに基づいて、被験者の体脂肪率、筋肉量、推定骨量、内臓脂肪レベル、基礎代謝量、体水分率等の体組成に関する指標を算出する。
【００２６】
また、図２乃至図４に示されるように、測定部本体前部２６は、表示部ユニット２１が測定部本体２０に装着されているときに上記のケーブル２９を束ねて保持するためのケーブル保持片３０を備えている。さらにまた、測定部本体前部２６は、ユーザが体組成計２をぶら下げて運ぶための取っ手３１を備えている。なお、図３及び図４では、ケーブル２９の図示を省略している。
【００２７】
上記の表示部ユニット２１は、ディスプレイ３８と操作入力部３９とを備えている。ディスプレイ３８は、ユーザへの操作の案内情報や、上記のマイコンが求めた体組成の測定結果等の各種情報を表示するためのＬＣＤ（Ｌｉｑｕｉｄ  Ｃｒｙｓｔａｌ  Ｄｉｓｐｌａｙ）等の表示装置である。操作入力部３９は、ユーザが各種の指示や情報を入力するための各種のキーを有している。表示部ユニット２１は、体組成計２の移動（携帯）時、保管時、及び通常の（体組成の）測定時には、ユリアネジや係合爪等の係合用の部材を用いてホルダ４１の表示部ホルダ部４２と係合（固定）されており、ホルダ４１を測定部本体２０に対して着脱することにより、表示部ユニット２１が測定部本体２０に対して着脱される。
【００２８】
また、体組成計２は、上記の測定部本体前部２６（図３参照）にケーブル２４Ｌ，２４Ｒ（図２参照）で電気的に接続された、左右のハンドグリップ２２Ｌ，２２Ｒを有している。これらのハンドグリップ２２Ｌ，２２Ｒには、いずれも２種類の電極（電流供給用と電圧検出用の電極）が設けられている。なお、図３及び図４では、ケーブル２４Ｌ，２４Ｒの図示を省略している。また、上記の測定台２５の表面には、電流供給用足電極２７Ｌ，２７Ｒと、電圧検出用足電極２８Ｌ，２８Ｒとが、配設されている。
【００２９】
また、図３及び図４に示されるように、上記のホルダ４１は、上記の表示部ホルダ部４２に加えて、上記のハンドグリップ２２Ｌ，２２Ｒを係合保持するためのグリップホルダ部４３Ｌ，４３Ｒを備えている。ハンドグリップ２２Ｌ，２２Ｒは、それぞれ、突起１９Ｌ，１９Ｒ（図２参照）を有している。一方、グリップホルダ部４３Ｌ，４３Ｒは、ハンドグリップ２２Ｌ，２２Ｒの外形に応じた形状の左右のグリップ収納部を有している。図５に示されるように、右側のグリップホルダ部４３Ｒのグリップ収納部は、３つの溝４４Ｒ，４５Ｒ，４６Ｒから形成されている。これらの溝４４Ｒ，４５Ｒ，４６Ｒは、ぞれぞれ、ハンドグリップ２２Ｒの前側の部分、後側の部分、及び根元の部分を位置決めして橋渡し状態で支持する。同様に、左側のグリップホルダ部４３Ｌのグリップ収納部は、３つの溝４４Ｌ，４５Ｌ，４６Ｌから形成されており、これらの溝４４Ｌ，４５Ｌ，４６Ｌは、それぞれ、ハンドグリップ２２Ｌの前側の部分、後側の部分、及び根元の部分を位置決めして橋渡し状態で支持する。
【００３０】
また、図５に示されるように、上記の溝４５Ｌ，４５Ｒの左右内方側の壁には、左右の切欠４７Ｌ，４７Ｒが形成されている。これらの切欠４７Ｌ，４７Ｒは、それぞれ、ハンドグリップ２２Ｌ，２２Ｒの突起１９Ｌ，１９Ｒが納まる形状となっている。ユーザが、ハンドグリップ２２Ｌ，２２Ｒの突起１９Ｌ，１９Ｒの位置を、それぞれ、左右のグリップ収納部側の切欠４７Ｌ，４７Ｒの位置に合わせて、ハンドグリップ２２Ｌ，２２Ｒを上記の左右のグリップ収納部に嵌入することにより、ハンドグリップ２２Ｌ，２２Ｒは、それぞれグリップホルダ部４３Ｌ，４３Ｒに係合保持される。
【００３１】
次に、上記のホルダ４１（及び表示部ユニット２１）を測定部本体２０に対して着脱自在にするための係合構造について、図３及び図４を参照して説明する。ホルダ４１には、Ｕ字型の係合片３２が設けられている。一方、測定部本体前部２６には、係合爪３３が設けられている。ユーザは、ホルダ４１（及び表示部ユニット２１）を測定部本体２０に装着するときには、図３に示されるように、ホルダ４１の係合片３２を、測定部本体前部２６の係合爪３３に引っ掛けて嵌入することにより、係合片３２を係合爪３３と係合させる。これに対して、ホルダ４１（及び表示部ユニット２１）を測定部本体２０から取り外すときには、ユーザは、図４に示されるように、ホルダ４１の係合片３２を、測定部本体前部２６の係合爪３３から取り外す。
【００３２】
次に、図１及び図２に示される保護カバー１の構成について説明する。図１では、保護カバー１の表面１１側が示されており、図２では、保護カバー１の裏面１２側が示されている。保護カバー１は、表示部ユニット２１が取り付けられた状態のホルダ４１が測定部本体２０に装着された状態において、体組成計２の表示部ユニット２１を含む面を覆うことが可能な形状と面積を有している。保護カバー１は、その裏面１２側に、略正方形状のマット３を備えている。このマット３は、被験者が、体組成の測定に備えて、裸足になるときに乗るマットである。被験者は、体組成の測定時に、靴を脱いだ後、このマット３に乗って、靴下を脱ぎ、裸足になる。その後、被験者は、体組成計２を用いた体組成の測定を行う。
【００３３】
上記のマット３は、保護カバー１に着脱自在である。以下に、図６を参照して、マット３を保護カバー１に着脱自在にするための構成について、説明する。図６では、マット３を取り外した状態における保護カバー１の裏面１２側が示されている。マット３の裏面側には、破線で示される４つの面ファスナ６が設けられている。一方、図６に示されるように、保護カバー１の裏面１２側には、４つの面ファスナ７が設けられている。ユーザは、マット３の裏面側の４つの面ファスナ６を、保護カバー１の裏面１２側の４つの面ファスナ７に押し付けて貼り付けることにより、マット３を保護カバー１に装着する（取り付ける）ことができる。また、ユーザは、マット３の裏面側の４つの面ファスナ６を、保護カバー１の裏面１２側の４つの面ファスナ７から剥すことにより、マット３を保護カバー１から取り外すことができる。
【００３４】
上記のように、マット３を保護カバー１に着脱自在な構成としたことにより、マット３を保護カバー１から容易に取り外して、洗濯したり、交換したりすることができる。従って、マット３を保護カバー１に接着剤や縫製により固着した場合と比べて、本保護カバー１は、衛生面で優れている。
【００３５】
また、図２に示されるように、保護カバー１は、（体組成の測定台２５を有する）測定部本体２０に連結するための左右の紐４Ｌ、４Ｒを有している。本実施形態では、紐４Ｌ、４Ｒは、ゴム紐（芯にゴムを用いて、伸び縮み可能にした紐）である。これらの紐４Ｌ、４Ｒは、それぞれ、保護カバー１の接続部５Ｌ、５Ｒに取り付けられている。ユーザは、図２に示されるように、これらの紐４Ｌ、４Ｒを、それぞれ、後部調整脚３５Ｌ，３５Ｒに引っ掛けることにより、保護カバー１を測定部本体２０に連結することができる。
【００３６】
図１に示されるように、保護カバー１は、図示で上部に、伸縮性を有する素材で形成された伸縮部８を有している。伸縮部８を構成する素材の例としては、プロピレンゴム製の素材の表面にニット地を貼り付けたジャージ生地等のウェットスーツ用の生地が挙げられる。また、図１に示されるように、保護カバー１は、図示で下部に、取扱い説明書等の収納用の大小２種類のポケット１３、１４を有している。また、保護カバー１は、体組成計２を収納したときに、取っ手３１を外部に露出させるためのスリット１５（図１及び図２参照）を有している。
【００３７】
次に、上記構成の保護カバー１による体組成計２の収納方法について説明する。体組成計２の移動（携帯）時や保管時に、保護カバー１により体組成計２を収納するときには、ユーザは、図７に示されるように、ホルダ４１の表示部ホルダ部４２（図３参照）と表示部ユニット２１とを係合（固定）させ、図３に示されるホルダ４１の係合片３２を、測定部本体前部２６の係合爪３３に係合させて、ホルダ４１を測定部本体２０に装着した上で、ホルダ４１のグリップホルダ部４３Ｌ，４３Ｒに、ハンドグリップ２２Ｌ，２２Ｒを嵌入して、ハンドグリップ２２Ｌ，２２Ｒをグリップホルダ部４３Ｌ，４３Ｒに係合させる。そして、図７に示されるように、面ファスナ３６Ｌをハンドグリップ２２Ｌとグリップホルダ部４３Ｌに巻き付けた状態で、面ファスナ３６Ｌの両端を押し付けて貼り付けることにより、グリップホルダ部４３Ｌに、ハンドグリップ２２Ｌを固定する。同様に、面ファスナ３６Ｒをハンドグリップ２２Ｒとグリップホルダ部４３Ｒに巻き付けた状態で、面ファスナ３６Ｒの両端を押し付けて貼り付けることにより、グリップホルダ部４３Ｒに、ハンドグリップ２２Ｒを固定する。
【００３８】
ユーザは、上記のようにして、ホルダ４１と、表示部ユニット２１と、ハンドグリップ２２Ｌ，２２Ｒと、測定部本体２０とを一体的に固定した後、図７に示されるように、表示部ユニット２１と測定部本体２０とを接続するケーブル２９を、ケーブル保持片３０に引っ掛けて、束ねる。また、図７に示されるように、ハンドグリップ２２Ｌ，２２Ｒのケーブル２４Ｌ，２４Ｒを、測定部本体２０の内側に寄せる。この後、ユーザは、図７に示されるように、紐４Ｌ、４Ｒを、それぞれ、後部調整脚３５Ｌ，３５Ｒに引っ掛けて、保護カバー１を測定部本体２０に連結した状態から、保護カバー１を、図７における上方に折り返すようにして、スリット１５に取っ手３１を通すことによって、図１に示されるように、保護カバー１により、測定部本体２０の表面２０ａの略全体を覆う。これにより、図１及び図７から分かるように、表示部ユニット２１が取り付けられた状態のホルダ４１が測定部本体２０に装着された（すなわち、表示部ユニット２１が測定部本体２０に装着された）状態において、体組成計２の表示部ユニット２１を含む面を覆うことができるので、図３に示されるホルダ４１の係合片３２と測定部本体前部２６の係合爪３３との係合が外れにくいようにすることができる。従って、体組成計２の移動（携帯）時や保管時に、表示部ユニット２１が、測定部本体２０から落下し難いようにすることができる。
【００３９】
しかも、上記のように、保護カバー１は、伸縮性を有する素材で形成された伸縮部８を有しているため、測定部本体２０に装着された状態の表示部ユニット２１及びホルダ４１を、押圧した状態で覆うことができる。従って、保護カバー１の全体が伸縮性を有さない素材で形成されている場合と比べて、ホルダ４１の係合片３２と測定部本体前部２６の係合爪３３との係合が、より一層外れにくいようにすることができるので、体組成計２の移動（携帯）時や保管時に、測定部本体２０からの表示部ユニット２１の落下を防ぐことができる。
【００４０】
また、上記のように、保護カバー１による体組成計２の収納時に、ユーザが、ホルダ４１と、表示部ユニット２１と、ハンドグリップ２２Ｌ，２２Ｒと、測定部本体２０とを一体的に固定した後、ハンドグリップ２２Ｌ，２２Ｒのケーブル２４Ｌ，２４Ｒを、測定部本体２０の内側に寄せてから、保護カバー１により、測定部本体２０の表面２０ａ（体組成計２の表面）の略全体を覆うようにしたことにより、保護カバー１による体組成計２の収納時に、ハンドグリップ２２Ｌ，２２Ｒのケーブル２４Ｌ，２４Ｒを容易に束ねることができる。しかも、上記のように、保護カバー１は、伸縮性を有する素材で形成された伸縮部８を有しているため、保護カバー１は、ハンドグリップ２２Ｌ，２２Ｒのケーブル２４Ｌ，２４Ｒを押圧した状態で束ねることができる。従って、体組成計２の移動（携帯）時や保管時に、ケーブル２４Ｌ，２４Ｒを束ねた状態を維持することができる。
【００４１】
上記のように、本保護カバー１によれば、体組成計２の移動（携帯）時や保管時に、表示部ユニット２１が、測定部本体２０から落下し難いようにすることができ、しかも、ケーブル２４Ｌ，２４Ｒを束ねることができるので、ユーザが、安全、かつ容易に、体組成計２を持ち運ぶことができる。
【００４２】
次に、体組成測定時における体組成計セット１０の使用形態について、上記図２に加えて、図８を参照して説明する。図８は、体組成測定時における体組成計２の使用形態の例を示す斜視図である。図８では、ケーブル２９の図示を省略している。体組成測定時に、被験者が、自ら表示部ユニット２１を使用する場合には、本体組成計セット１０は、図２に示されるように、表示部ユニット２１を含むホルダ４１を測定部本体２０に装着した状態で使用するか、又は、図８に示されるように、表示部ユニット２１（及びハンドグリップ２２Ｌ，２２Ｒ）を含むホルダ４１を、測定部本体２０から取り外して、テーブル５１等に載置して使用する。
【００４３】
また、体組成測定時に、医療関係者や、健康診断の関係者が、表示部ユニット２１を使用して計測結果の確認等を行い、その近傍で被験者が測定する場合には、以下のいずれかの使用形態のパターンになる。その一つ目は、（１）図２に示される状態（表示部ユニット２１を含むホルダ４１を測定部本体２０に装着した状態）から、表示部ユニット２１を含むホルダ４１を測定部本体２０より取り外した後、表示部ユニット２１とホルダ４１の係合を解除して、表示部ユニット２１のみをテーブル等に載置し、この表示部ユニット２１を、医療関係者や、健康診断の関係者が、使用するパターンである。この場合には、表示部ユニット２１を取り外した後のホルダ４１は、測定部本体２０に装着されて、被験者は、ホルダ４１に保持されたハンドグリップ２２Ｌ，２２Ｒと、測定部本体２０の測定台２５とを用いて、体組成の測定を行う。
【００４４】
また、二つ目は、（２）図８に示される状態（表示部ユニット２１（及びハンドグリップ２２Ｌ，２２Ｒ）を含むホルダ４１を、測定部本体２０から取り外して、テーブル５１等に載置した状態）から、表示部ユニット２１とホルダ４１の係合を解除して、表示部ユニット２１のみを、テーブル（テーブル５１と同じテーブルであってもよいし、他のテーブルであってもよい）等に載置し、この表示部ユニット２１を、医療関係者や、健康診断の関係者が、使用するパターンである。この場合には、被験者は、テーブル５１に載置された（表示部ユニット２１を取り外した状態の）ホルダ４１に保持されたハンドグリップ２２Ｌ，２２Ｒと、テーブル５１周辺の床面に置かれた（測定部本体２０の）測定台２５とを用いて、体組成の測定を行う。
【００４５】
上記のいずれの使用形態の場合でも、保護カバー１が測定部本体２０に連結された状態で、体組成計セット１０が使用されるので、被験者は、保護カバー１の裏面１２側に設けられたマット３に乗って、靴下を脱ぎ、裸足になってから、測定部本体２０の測定台２５に乗って、ハンドグリップ２２Ｌ，２２Ｒを握り、体組成の測定を行う。従って、保護カバー１は、体組成の測定中には、被験者が体組成の測定に備えて裸足になるときに乗るマットとして使用することができるので、被験者が測定台を清潔に利用することができる。
【００４６】
なお、体組成計セット１０が設置される場所の制約から、保護カバー１を測定部本体２０に連結した状態で体組成の測定を行えない場合でも、保護カバー１を測定部本体２０の周辺に置くことで、体組成の測定中に、保護カバー１を、被験者が体組成の測定に備えて裸足になるときに乗るマットとして使用することができるので、上記と同様の効果を得ることができる。
【００４７】
上記のように、本実施形態の保護カバー１及び体組成計セット１０によれば、保護カバー１が、被験者が体組成の測定に備えて裸足になるときに乗るマット３を備えるようにした。これにより、保護カバー１は、体組成計２の移動（携帯）時や保管時に、体組成計２を保護し、体組成計２にゴミや埃が付着するのを防ぐことができるので、体組成計２自体を清潔に保つことができる。また、この保護カバー１は、体組成の測定時に、被験者が体組成の測定に備えて裸足になるときに乗るマットとして使用することができるので、被験者が測定台２５を清潔に利用することができる。
【００４８】
また、保護カバー１は、体組成の測定台２５を有する測定部本体２０に対して着脱自在の表示部ユニット２１を備えた体組成計２の保護カバーであり、表示部ユニット２１が測定部本体２０に装着された状態において、体組成計２の表示部ユニット２１を含む面を覆うことが可能な形状と面積を有している。この構成においては、表示部ユニット２１が測定部本体２０に装着された状態において、保護カバー１が体組成計２の表示部ユニット２１を含む面を覆うことができるので、表示部ユニット２１が測定部本体２０に装着された状態を維持することができる。従って、この保護カバー１によれば、体組成計２の移動（携帯）時や保管時に、表示部ユニット２１が、測定部本体２０から落下し難いようにすることができるので、体組成計２の持ち運びを容易にすることができる。
【００４９】
また、保護カバー１は、体組成の測定台２５を有する測定部本体２０とケーブル２４Ｌ，２４Ｒで電気的に接続されたハンドグリップ２２Ｌ，２２Ｒを備えた体組成計２の保護カバーである。この構成においては、保護カバー１による体組成計２の収納時に、保護カバー１が、ハンドグリップ２２Ｌ，２２Ｒのケーブル２４Ｌ，２４Ｒを容易に束ねることができるので、体組成計２の持ち運びをより一層容易にすることができる。
【００５０】
また、マット３を保護カバー１に着脱自在な構成としたことにより、マット３を保護カバー１から容易に取り外して、洗濯したり、交換したりすることができる。従って、本保護カバー１は、マット３を保護カバー１に接着剤や縫製により固着した場合と比べて、衛生面で優れている。
【００５１】
また、保護カバー１の一部（伸縮部８）を、伸縮性を有する素材で形成したことにより、保護カバー１が、体組成計２を押圧した状態で覆うことができる。これにより、保護カバー１の全体が伸縮性を有さない素材で形成されている場合と比べて、ホルダ４１と、表示部ユニット２１と、ハンドグリップ２２Ｌ，２２Ｒと、測定部本体２０とを一体的に固定した状態を、より容易に維持することができる。また、保護カバー１の全体が伸縮性を有さない素材で形成されている場合と比べて、体組成計２の移動（携帯）時や保管時に、ケーブル２４Ｌ，２４Ｒを束ねた状態を、より容易に維持することができる。
【００５２】
また、保護カバー１が、測定部本体２０に保護カバー１を連結するための紐４Ｌ、４Ｒを有する構成としたことにより、ユーザが、この紐４Ｌ、４Ｒを、測定部本体２０の一部に係合させることで、保護カバー１を測定部本体２０に容易に連結させることができる。
【００５３】
変形例：
なお、本発明は、上記の実施形態の構成に限られず、発明の趣旨を変更しない範囲で種々の変形が可能である。次に、本発明の変形例について説明する。
【００５４】
変形例１：
上記の実施形態では、体組成計２の表示部ユニット２１が、表示部ユニット２１を保持するためのホルダ４１を介して、測定部本体２０に対して着脱自在な構成である場合の例について示したが、体組成計の表示部ユニット自体に測定部本体と係合させるための部材を設けて、体組成計の表示部ユニット自体が、ホルダを介さずに、測定部本体に対して着脱自在な構成にしてもよい。
【００５５】
変形例２：
上記の実施形態では、保護カバー１の裏面１２側に設けられた面ファスナ７と、マット３の裏面側に設けられた面ファスナ６とを用いて、マット３を保護カバー１に着脱自在にする構成を示したが、マットを保護カバーに着脱自在にするための構成は、これに限られない。例えば、保護カバーの裏面側とマットの裏面側に、樹脂製等の係合用部材を設けてもよい。
【００５６】
変形例３：
上記の実施形態では、保護カバー１の一部（図１で上部）に、伸縮性を有する素材で形成した伸縮部８を設けた場合の例について示したが、保護カバーにおける伸縮部の配置は、これに限られない。また、保護カバーの一部ではなく、保護カバーの全体を、伸縮性を有する素材で形成してもよい。
【００５７】
変形例４：
上記の実施形態では、保護カバー１が、測定部本体２０に連結するための左右の紐（ゴム紐）４Ｌ、４Ｒを有している場合の例について示したが、保護カバーを測定部本体に連結するための紐の数は、２つに限られない。また、保護カバーを測定部本体に連結するための紐は、ゴム紐に限られず、繊維を束ねた通常の紐であってもよい。
【００５８】
変形例５：
上記の実施形態では、紐４Ｌ、４Ｒを用いて、保護カバー１を測定部本体２０に連結する場合の例について示したが、必ずしも、紐を用いて、保護カバーを測定部本体に連結する必要はない。例えば、保護カバーと測定部本体とに、樹脂製の係合用部材を設けてもよい。
【００５９】
変形例６：
上記の実施形態では、保護カバー１に設けられた紐４Ｌ、４Ｒを、それぞれ、測定部本体２０の（測定台２５の）後部調整脚３５Ｌ，３５Ｒに引っ掛ける（係合させる）ことにより、保護カバー１を測定部本体２０に連結したが、保護カバーに設けられた紐を、測定部本体における後部調整脚以外の部分に係合させることにより、保護カバーを測定部本体に連結してもよいし、測定部本体に、保護カバーに設けられた紐を係合させるための専用の係合部材を設けてもよい。
【００６０】
変形例７：
上記の実施形態では、表示部ユニット２１が、ディスプレイ３８と操作入力部３９とを備えている場合の例について示したが、表示部ユニットが、ディスプレイのみを備える構成であってもよい。この場合に、操作入力部を、表示部ユニットとは別体の操作入力ユニットにして、この操作入力ユニットをホルダに着脱自在な構成としてもよい。
【００６１】
変形例８：
上記の実施形態では、マット３が保護カバー１に着脱自在である場合の例を示したが、保護カバー自体をマットとして用いる（保護カバー自体がマットを兼ねる）構成であってもよい。具体的には、例えば、保護カバーの裏面をマットに適した素材で形成して、この保護カバーの裏面をマットとして用いてもよい。また、マット３が、保護カバー１に着脱自在な構成でなくてもよい。例えば、マットを、縫い合わせや接着剤により、保護カバーに取り付けてもよい。
【符号の説明】
【００６２】
１    保護カバー
２    体組成計
３    マット
４Ｌ，４Ｒ  紐
８    伸縮部（請求項における「保護カバーの少なくとも一部」）
１０  体組成計セット
２０  測定部本体
２１  表示部ユニット
２２Ｌ，２２Ｒ  ハンドグリップ
２４Ｌ，２４Ｒ  ケーブル
２５  測定台
【図１】
0006410180.tif 000002
【図２】
0006410180.tif 000003
【図３】
0006410180.tif 000004
【図４】
0006410180.tif 000005
【図５】
0006410180.tif 000006
【図６】
0006410180.tif 000007
【図７】
0006410180.tif 000008
【図８】
0006410180.tif 000009